(57)【要約】【課題】使い捨てのパンツ型着用物品における前胴周り域と後胴周り域との接合域による肌への刺激を防止する。【解決手段】使い捨てのパンツ型着用物品１の前胴周り域６と後胴周り域７とが、互いの側縁部８，９で重なり合い、溶着部１３において一体化して胴周り側部域１０を形成する。胴周り側部域１０における着用者の肌に対する当接面には、前後胴周り域６，７の間をまたいで前後胴周り域６，７に接合しており、溶着部１３の肌への接触を防ぐことが可能な隠蔽用シート片３１が設けられる。【選択図】図１
2006255191.tif 000002
【特許請求の範囲】
【請求項１】
互いに直交する上下方向と前後方向と横方向とを有していて、前胴周り域と後胴周り域と股下域とからなり、前記前後胴周り域それぞれには前記横方向で対向するとともに前記上下方向へ延びる一対の側縁部が形成されており、前記前後胴周り域が互いの前記側縁部で重なり合ってそれら側縁部に含まれる熱可塑性合成樹脂で形成される溶着部において一体化して胴周り開口と一対の脚周り開口と前記横方向において対向する胴周り側部域とが形成されている使い捨てのパンツ型着用物品において、
前記胴周り側部域における前記着用物品着用者の肌に対する当接面には、前記着用物品の胴周り方向において前記前後胴周り域間をまたいで前記前後胴周り域それぞれに接合して前記溶着部の前記肌への接触を前記着用物品の内側から防ぐことが可能な前記溶着部に対する隠蔽用シート片が設けられていることを特徴とする前記着用物品。
【請求項２】
前記隠蔽用シート片が前記胴周り側部域において前記上下方向へ延びて前記胴周り開口と前記脚周り開口とに達している請求項１記載の着用物品。
【請求項３】
前記隠蔽用シート片が前記前後胴周り域それぞれに対して接着、溶着、および前記前後胴周り域と前記隠蔽用シート片とに含まれる繊維どうしの交絡のいずれかによって接合している請求項１または２記載の着用物品。
【発明の詳細な説明】
【技術分野】
【０００１】
この発明は、使い捨てのパンツ型おむつを一例とする使い捨てのパンツ型着用物品に関する。
【背景技術】
【０００２】
パンツ型おむつやトレーニングパンツ等として使用される使い捨てのパンツ型の着用物品は従来周知である。また、特開平５−１５５５１号公報に開示のパンツ型着用物品の接合方法、およびその装置によれば、この種着用物品の前胴周り域と後胴周り域とを超音波溶着装置によって溶着することができる。
【特許文献１】特開平５−１５５５１号公報
【発明の開示】
【発明が解決しようとする課題】
【０００３】
特許文献１に記載の発明によれば、着用物品の前胴周り域と後胴周り域とを形成しているトップシートとバックシートとが熱可塑性合成繊維や熱可塑性合成樹脂フィルム等の熱溶着性の素材を含んでいる場合に、前胴周り域と後胴周り域の側縁部どうしを例えば合掌状に重ね合わせて超音波溶着装置で処理すると、それらの素材が溶融した後に硬化して接合域を形成するので、前胴周り域と後胴周り域とを連結することができる。しかし、繊維やフィルム等の熱溶着性の素材は、元々が柔軟なものであっても、それが溶融した後に形成する接合域では塊状化して硬くなっている。かような接合域を有する着用物品は、それが着用されて前後胴周り域が緊張状態になると、接合域が着用物品の内側から着用者の肌を強く刺激するという場合がある。
【０００４】
そこで、この発明では、前胴周り域と後胴周り域との側縁部どうしが互いの接合域において重なり合って溶着している使い捨てのパンツ型着用物品において、その接合域によって着用者の肌を刺激することがないように改良を施すことを課題にしている。
【課題を解決するための手段】
【０００５】
前記課題を解決するために、この発明が対象とするのは、互いに直交する上下方向と前後方向と横方向とを有していて、前胴周り域と後胴周り域と股下域とからなり、前記前後胴周り域それぞれには前記横方向で対向するとともに前記上下方向へ延びる一対の側縁部が形成されており、前記前後胴周り域が互いの前記側縁部で重なり合ってそれら側縁部に含まれる熱可塑性合成樹脂で形成される溶着部において一体化して胴周り開口と一対の脚周り開口と前記横方向において対向する胴周り側部域とが形成されている使い捨てのパンツ型着用物品である。
【０００６】
かかるパンツ型着用物品において、この発明が特徴とするところは、前記胴周り側部域における前記着用物品着用者の肌に対する当接面には、前記着用物品の胴周り方向において前記前後胴周り域間をまたいで前記前後胴周り域それぞれに接合して前記溶着部の前記肌への接触を前記着用物品の内側から防ぐことが可能な前記溶着部に対する隠蔽用シート片が設けられていること、にある。
【０００７】
この発明の好ましい実施態様の一つにおいて、前記隠蔽用シート片は、前記胴周り側部域において前記上下方向へ延びて前記胴周り開口と前記脚周り開口とに達している（請求項２に対応）。
【０００８】
この発明の好ましい実施態様の他の一つにおいて、前記隠蔽用シート片は、前記前後胴周り域それぞれに対して接着、溶着、および前記前後胴周り域と前記隠蔽用シート片とに含まれる繊維どうしの交絡のいずれかによって接合している（請求項３に対応）。
【発明の効果】
【０００９】
この発明に係る使い捨てのパンツ型着用物品は、前後胴周り域の側縁部どうしが溶着部において一体化して着用物品の胴周り側部域を形成しており、その胴周り側部域の肌に対する当接面には、溶着部の肌への接触を着用物品の内側から防ぐことが可能な隠蔽用シート片が設けられているから、この着用物品が着用されて前後胴周り域が胴周り方向において緊張状態になっても、溶着部は肌に直接触れることがなく、肌を刺激することがない（請求項１に対応）。
【００１０】
この発明の好ましい実施態様の一つにおいて、隠蔽用シート片は着用物品の上下方向へ延びて胴周り開口と脚周り開口とに達しているから、胴周り側部域の溶着部は胴周り側部域の上下方向のいずれの部位においても着用者の肌に接触することがない（請求項２に対応）。
【００１１】
この発明の好ましい実施態様の他の一つにおいては、隠蔽用シート片を前後胴周り域それぞれに対して接合するときに、その接合によって着用者の肌を刺激することがないように、接着、溶着、繊維どうしの交絡のいずれかを選択することができる。
【発明を実施するための最良の形態】
【００１２】
この発明に係る使い捨てのパンツ型着用物品として使い捨てのパンツ型おむつを例にとり、添付の図面を参照して発明の詳細を説明すると、以下のとおりである。
【００１３】
図１は、パンツ型おむつ１の部分破断斜視図である。おむつ１は、着用者（図示せず）の肌に対しての当接面を形成する透液性の内面シート２と、着衣に対しての当接面を形成する不透液性の外面シート３と、これら両シート２，３間に介在する体液吸収性のコア４とによって形成されており、前胴周り域６と、後胴周り域７と、股下域５とを有する。内面シート２と外面シート３とは、コア４の周縁から延出する部分において重なり合い、間欠的に塗布されたホットメルト接着剤（図示せず）を介して互いに接合している。前胴周り域６と後胴周り域７とは、おむつ１の幅方向Ｘにおいて対向していて上下方向Ｙへ延びる一対の側縁部８と一対の側縁部９とを有しており、その側縁部８，９が合掌状に重なり合うとともにおむつ１の上下方向Ｙへ並ぶ複数の溶着部１３において一体化することにより、幅方向Ｘにおいて対向する側部域１０と胴周り開口１１とを形成しており、併せて股下域５と協働して一対の脚周り開口１２を形成している。前後胴周り域６，７では、胴周り開口１１の縁の近傍において複数条の帯状の第１胴周り弾性部材１４ａ，１４ｂが内面シート２と外面シート３との間にあって胴周り方向へ延びている。また、胴周り開口１１の縁３２と脚周り開口１２の縁３３との間では、複数条の帯状の第２胴周り弾性部材１５ａ，１５ｂが外面シート３とコア４との間にあって、ただし側部域１０では外面シート３と内面シート２との間にあって、胴周り方向へ延びている。これら第１、第２胴周り弾性部材１４ａ，１４ｂ，１５ａ，１５ｂと脚周り弾性部材１６とは、内面シート２と外面シート３とのうちの少なくとも一方に伸長状態で接合している。おむつ１はまた、側部域１０の内面、すなわち着用者の肌に対する当接面に隠蔽用シート片３１を有する。隠蔽用シート片３１は、前胴周り域６と後胴周り域７との間をまたいで胴周り方向へ延びていて、前後胴周り域６，７それぞれにおける内面シート２に接合している。なお、図１において、幅方向Ｘはおむつ１の横方向でもある。
【００１４】
図２は、図１のＩＩ−ＩＩ線矢視図であって、隠蔽用シート片３１は一部分が破断して示されている。側部域１０において隠蔽用シート片３１は、胴周り開口１１の縁３２と脚周り開口１２の縁３３とにほぼ達するように上下方向Ｙへ延びていて、図においてドット状に示されている複数の接合部３４において前胴周り域６と後胴周り域７との内面シート２に接合している。前後胴周り域６，７は、おむつ１を着用しているときに溶着部１３において分離することがないように強固に接合した状態にある。そのような溶着部１３は、元々は柔軟で肌触りのよい内面シート２と外面シート３とが溶融した後に塊状となったもので、一般的に硬く肌触りの悪い部位である。それゆえ、おむつ１に隠蔽用シート片３１が設けられていない場合には、おむつ１が着用されて胴周り方向において緊張状態なると、溶着部１３は、その周縁の一部分がおむつ１の内側に現れて、おむつ着用者の肌を刺激することがある。しかし、この発明に係るおむつ１では、前後胴周り域６，７の間をまたぐ隠蔽用シート片３１がそのようにして現れる溶着部１３の周縁を隠蔽しているので、肌に対する溶着部１３の刺激を防ぐことができる。すなわち、隠蔽用シート片３１は、おむつ１の内側にあって、前後胴周り域６，７を連結している溶着部１３が、おむつ１を着用したときにおむつ１の内側から着用者の肌に触れて、その肌に刺激を与えることを防いでいる。
【００１５】
かかるおむつ１において、内面シート２は、透液性のものであって、熱可塑性合成繊維からなる坪量１０〜５０ｇ／ｍ２の不織布や熱可塑性合成樹脂からなる厚さ１０〜３０ミクロンの開口フィルム等の熱可塑性シート材料が使用される。外面シート３は、不透液性のものであって、熱可塑性合成繊維からなる坪量１００〜３００ｇ／ｍ２の不織布や熱可塑性合成樹脂からなる厚さ１０〜５０ミクロンのフィルム、かかるフィルムとその外面を布様の肌触りに変えることができる適宜の坪量を有する不織布とを積層してなる複合シート等が使用される。コア４は、粉砕パルプまたは粉砕パルプと高吸水性ポリマー粒子との混合物をティシューペーパの如き透液性と液拡散性とにすぐれたシート材料で被覆したものが使用される。前後胴周り域６，７の側縁部８，９においては、これら両側縁部８，９を合掌状に重ね合わせて加熱下でエンボス処理を施したり超音波溶接機による処理を施したりすることによって、両側縁部８，９における内面シート２どうしや内面シート２と外面シート３とが溶着して、溶着部１３が形成される。隠蔽用シート片３１は柔軟な肌触りを有するものであって、かかる隠蔽用シート片３１には、繊度が０．１〜５ｄｔｘの熱可塑性合成繊維からなる坪量１０〜５０ｇ／ｍ２の不織布、より好ましくは捲縮した熱可塑性合成繊維からなる坪量１０〜５０ｇ／ｍ２の不織布や、厚さ１０〜３０ミクロンの熱可塑性合成樹脂からなるフィルム、より好ましくはそのようなフィルムであって肌に対する密着を防ぐのに効果的な微細な凹凸と通気性の開孔とを有するもの等が使用される。隠蔽用シート片３１を接合部３４において内面シート２に接合する手段には、ホットメルト接着剤等を使用する接着や隠蔽用シート片３１および／または内面シート２を溶融した後に硬化させて隠蔽用シート片３１と内面シート２とを一体化させる溶着等の手段がある。ただし、この発明では、隠蔽用シート片３１が溶着部１３による肌に対しての刺激を防ぐことができると同時に、隠蔽用シート片３１の接合部３４による肌に対しての刺激を避けなければならない。そのための接合部３４は、図示例の如くドット状のものである場合には、直径が２ｍｍよりも小さく、ドットどうしが５ｍｍ以上離間していることが好ましい。ただし、接合部３４には、ドット状のものに代えて、ストライプ状のものを使用することもできる。ストライプ状の接合部３４は、幅が１ｍｍよりも小さくて、互いに１０ｍｍ以上離間していることが好ましい。ストライプ状の接合部３４は、複数条のものが互いに平行して上下方向Ｗへ延びるものであってもよいし胴周り方向へ延びるものであってもよいが、上下方向Ｗへ延びるものである場合には、胴周り方向へ延びるものである場合に比べて、前胴周り域６や後胴周り域７の胴周り方向における伸長、収縮を妨げることが少ないという利点がある。接着や溶着によって接合部３４を形成することに代えて、内面シート２が不織布からなる場合には、フック部材とループ部材とからなるメカニカルファスナのフック部材を使用して隠蔽用シート片３１を内面シート２に接合することもできる。この場合の内面シート２はループ部材として作用する。さらには、隠蔽用シート片３１と内面シート２とが共に不織布で形成されている場合には、両者の繊維を互いに交絡させることによっても隠蔽用シート片３１を内面シート２に接合することができる。ニードルパンチ法によってフェルトを製造するときのようにニードルを隠蔽用シート片３１と内面シート２とに貫通させて両者の繊維を互いにからませることによって接合部３４を形成するならば、接着や溶着によって接合部３４を形成する場合に比べて、おむつ１の側部域１０の柔軟性を低下させることがない。
【００１６】
使い捨てのパンツ型おむつ１を例にとって説明したこの発明は、使い捨てのパンツや使い捨てのトレーニングパンツ、吸尿用パッドや生理用ナプキンを着用するために使用する使い捨てのパンツ型着用物品として実施することができる。また、この発明において、前胴周り域６と後胴周り域７とは、それらの側縁部８と９とを図示例の如く合掌状に重ね合わせて溶着することに代えて、側縁部８の内面が側縁部９の外面と向かい合うように、またはそれとは反対に側縁部８の外面が側縁部９の内面と向かい合うように側縁部８と９とを重ね合わせて溶着することもできる。さらにはまた、この発明において、胴周り側部域１０は、内面シート２と外面シート３とを重ね合わせることによって形成することに代えて、胴周り方向において外面シート３を内面シート２よりも長くして、その長くした外面シート３で形成することもできる。また、内面シート２や外面シート３とは別体のシート片を内面シート２および／または外面シート３に胴周り方向へ延びるように取り付けて、その別体のシート片によって側部域１０を形成することもできる。隠蔽用シート片３１は、胴周り側部域１０をこのようにして形成している場合の外面シート３の内面や別体のシート片の内面に対して接合することができる。
【産業上の利用可能性】
【００１７】
この発明によれば、前後胴周り域の側縁部どうしが溶着部において一体化しているパンツ型着用物品であって、その溶着部によって肌を刺激することのないものの製造が可能になる。
【図面の簡単な説明】
【００１８】
【図１】使い捨てのパンツ型おむつの部分破断斜視図。
【図２】図１のＩＩ−ＩＩ線矢視図。
【符号の説明】
【００１９】
１    使い捨てのパンツ型着用物品（おむつ）
２    シート材料（内面シート）
５    股下域
６    前胴周り域
７    後胴周り域
８    側縁部
９    側縁部
１０    胴周り側部域
１１    胴周り開口
１２    脚周り開口
１３    溶着部
３１    隠蔽用シート片
Ｗ    前後方向
Ｘ    横方向
Ｙ    上下方向
【図１】
2006255191.tif 000003
【図２】
2006255191.tif 000004